(57)【特許請求の範囲】
【請求項１】
軒樋の耳部を外側からつかんで吊り下げるための軒樋吊金具を備えた軒樋の吊り下げ構造において、軒樋の耳部の内側面の一部に軒樋の内方に向けて凹んだ凹み部が設けられ、軒樋吊金具の耳部係止部に、耳部の凹み部が設けられている内側面に対向して配置される立上り片と、凹み部が設けられている内側面とは反対側の外側面に沿って垂下して耳部を支持する垂下片とが設けられていると共に、立上り片の内側にばね係止片が取り付けられ、このばね係止片は、耳部の凹み部よりも下方位置から凹み部に向けて斜め上側方に延びる弾性変形自在な傾斜部と、傾斜部の先端に連設されて耳部の凹み部内に嵌合される嵌合凸部と、耳部の内側面を垂下片側に押圧する耳部押圧部とを備えており、上記ばね係止片の傾斜部の先端に連設された嵌合凸部が耳部の凹み部内に嵌合し且つばね係止片の耳部押圧部が耳部の内側面を垂下片側に押圧することにより耳部が垂下片に支持されると共に、上記耳部の凹み部よりも下方位置に設けた垂直面に上記傾斜部に設けた上部垂直面を弾接させてなることを特徴とする軒樋の吊り下げ構造。
【請求項２】
軒樋の前側の耳部又は後側の耳部のいずれか一方の耳部に凹み部を設けると共に、凹み部が設けられる側の耳部を係止する耳部係止部に垂下片とばね係止片付き立上り片とを設けてなることを特徴とする請求項１記載の軒樋の吊り下げ構造。
【請求項３】
軒樋の前側の耳部及び後側の耳部の各内側面に凹み部をそれぞれ設けると共に、各耳部を係止する各耳部係止部に垂下片とばね係止片付き立上り片とをそれぞれ設けてなることを特徴とする請求項１記載の軒樋の吊り下げ構造。
【請求項４】
ばね係止片の嵌合凸部に、凹み部内部の天面に当接する天面当接部と、凹み部内部の底面に当接する底面当接部とを設けてなることを特徴とする請求項１〜３のいずれかに記載の軒樋の吊り下げ構造。
【発明の詳細な説明】
【０００１】
【発明の属する技術分野】
本発明は、軒樋の吊り下げ構造に関し、詳しくは凹み部を備えた耳部を外側からつかんで吊り下げる技術に関するものである。
【０００２】
【従来の技術】
従来、軒樋１の耳部７を軒樋吊金具４にて外側からつかんで吊り下げるにあたっては、例えば図６に示すものが知られている。図６の例では軒樋１の耳部７の外側面７ｂが凸状をしており、内側面７ａが平坦状をしている。軒樋吊金具４の耳部係止部８の外側には耳部７の下面７ｃを支持するための水平支持部１７ａを有する垂下片１７が設けられていると共に、耳部係止部８の内側に設けた立上り片１６には、耳部７を垂下片１７側に向かって押圧するための略Ｖ字状の押圧ばね３が取り付けられている。そして、耳部７を耳部係止部８の下方から押し上げると、耳部７がＶ字状の押圧ばね３を立上り片１６側に撓ませながら上動し、耳部７が垂下片１７の水平支持部１７ａを通過し終わると押圧ばね３のばね力で耳部７が水平支持部１７ａの上に移動して垂下片１７に係止された状態で保持されるようになる。これにより、軒樋１の耳部７を軒樋吊金具４の耳部係止部８にワンタッチで係止させることができるものである。
【０００３】
【発明が解決しようとする課題】
ところが、従来の吊り下げ構造にあっては、耳部７の内側面７ａが平坦状をしているものだけに使用できるものであり、図７に示すように、耳部７の内側面７ａの一部に凹み部１２が設けられているものには使用できない。つまり、図７（ｂ）のように耳部７に凹み部１２が設けられたものでは、押圧ばね３が耳部７の凹み部１２に入り込むことによって押圧ばね３が働かなくなり、軒樋１が抜け落ちるという問題がある。なお、押圧ばね３が凹み部１２に入り込まないように位置をずらして押圧ばね３を取り付けた場合であっても、軒樋１は一般に薄板で形成されているために変形し易く、特に軒樋１に外力が加わったときには軒樋１が変形して凹み部１２内に押圧ばね３が入り込む可能性が高くなり、軒樋１が脱落する可能性があった。
【０００４】
本発明は、上記の従来例の問題点に鑑みて発明したものであって、その目的とするところは、耳部に凹み部が設けられている場合であってもばね係止片による耳部の係止状態の保持が確実になされ、軒樋の脱落を確実に防止できるようにした軒樋の吊り下げ構造を提供するにある。
【０００５】
【課題を解決するための手段】
上記課題を解決するために本発明にあっては、軒樋１の耳部７を外側からつかんで吊り下げるための軒樋吊金具４を備えた軒樋の吊り下げ構造において、軒樋１の耳部７の内側面７ａの一部に軒樋１の内方Ａに向けて凹んだ凹み部１２が設けられ、軒樋吊金具４の耳部係止部８に、耳部７の内側面７ａに対向して配置される立上り片１６と、耳部７の凹み部１２が設けられている内側面７ａとは反対側の外側面７ｂに沿って垂下して耳部７を支持する垂下片１７とが設けられていると共に、立上り片１６の内側にばね係止片９が取り付けられ、このばね係止片９は、耳部７の凹み部１２よりも下方位置から凹み部１２に向けて斜め上側方に延びる弾性変形自在な傾斜部１３と、傾斜部１３の先端に連設されて耳部７の凹み部１２内に嵌合される嵌合凸部１４と、耳部７の内側面７ａを垂下片１７側に押圧する耳部押圧部１５とを備えており、上記ばね係止片９の傾斜部１３の先端に連設された嵌合凸部１４が耳部７の凹み部１２内に嵌合し且つばね係止片９の耳部押圧部１５が耳部７の内側面７ａを垂下片１７側に押圧することにより耳部７が垂下片１７に支持されると共に、上記耳部７の凹み部１２よりも下方位置に設けた垂直面２０ｂに上記傾斜部１３に設けた上部垂直面１３ｂを弾接させてなることを特徴としており、このように構成することで、耳部７の凹み部１２内にばね係止片９の嵌合凸部１４が嵌合しているために耳部７がばね係止片９から外れる心配がなく、また耳部７の内側面７ａがばね係止片９の耳部押圧部１５により垂下片１７側に押圧されているので、ばね係止片９が耳部７の内側に入り込む心配がなく、従って、凹み部１２を備えた耳部７を垂下片１７上に確実に支持できるようになり、軒樋１が軒樋吊金具４から脱落するのを確実に防止できるようになる。さらに上記耳部７の垂直面２０ｂに上記傾斜部１３の上部垂直面１３ｂを弾接させたことにより、耳部７に対するばね係止片９の押圧力を更に高めることでき、結果的に耳部７の係止力が高められるものである。
【０００６】
また上記軒樋１の前側の耳部７又は後側の耳部７のいずれか一方の耳部７に凹み部１２を設けると共に、凹み部１２が設けられる側の耳部７を係止する耳部係止部８に垂下片１７とばね係止片９付き立上り片１６とを設けるのが好ましく、この場合、いずれか一方の耳部７が垂下片１７とばね係止片９付き立上り片１６とで確実に係止されることで、他方の耳部７が仮りに耳部係止部８に対して単に挿入係止されているにすぎない場合でも、一方の耳部７を確実に係止させることができ、他方の耳部係止部８の構造を簡略化することが可能となる。
【０００７】
また上記軒樋１の前側の耳部７及び後側の耳部７の各内側面７ａに凹み部１２をそれぞれ設けると共に、各耳部７を係止する各耳部係止部８に垂下片１７とばね係止片９付き立上り片１６とをそれぞれ設けるのが好ましく、この場合、軒樋１の前後両側の耳部７をそれぞれ、ばね係止片９によって確実に係止させることができる。
【０００８】
また上記ばね係止片９の嵌合凸部１４に、凹み部１２内部の天面１８に当接する天面当接部１９と、凹み部１２内部の底面２０に当接する底面当接部２１とを設けるのが好ましく、この場合、凹み部１２に対する嵌合凸部１４の嵌合力が高められ、ばね係止片９による耳部７の係止力を更に高めることができる。
【０００９】
【発明の実施の形態】
以下、本発明を添付図面に示す実施形態に基づいて説明する。
【００１０】
軒樋１は、図１に示すように、前側片２の上端部に前側の耳部７が設けられ、後側片６の上端部に後側の耳部７´が設けられている。本例では、前側の耳部７と後側の耳部７´は同一構造を有しており、以下において、前側の耳部７（以下、耳部７と略称する）について説明する。耳部７の内側面７ａの一部には、軒樋１の内方Ａに向けて凹んだ凹み部１２が設けられている。ここで、凹み部１２とは、開口しているものと、開口せずに凹状となっているものの両方を意味する。つまり、図１〜図３に示す例では凹み部１２は耳部７の内側面７ａの一部を切り欠いた開口形状となっているが、切り欠かずに耳部７の内側に向かって凸となるように折り曲げるようにしてもよいものである。
【００１１】
軒樋吊金具４は、折版屋根等に取り付けられる吊り金具４ａと金属板片４ｂとからなり、金属板片４ｂの前端部に前側の耳部７を外側からつかんで吊り下げるための前側の耳部係止部８が設けられ、後端部に後側の耳部７´を外側からつかんで吊り下げるための後側の耳部係止部８´が設けられている。本例では、前側の耳部係止部８と後側の耳部係止部８´は同一構造を有しており、以下において、前側の耳部係止部８（以下、耳部係止部８と称する）について説明する。耳部係止部８には、耳部７の内側面７ａに対向して配置される立上り片１６と、耳部７の凹み部１２が設けられている内側面７ａとは反対側の外側面７ｂに沿って垂下して耳部７を支持する垂下片１７とが設けられている。
【００１２】
立上り片１６の内側にはばね係止片９が取り付けられている。図３は本発明の基本構成を示している。ばね係止片９は、図３（ａ）に示すように、立上り片１６に固着される固着部９ａと、固着部９ａの下端に連設されて耳部７の凹み部１２よりも下方位置から凹み部１２に向けて斜め上側方に延びる弾性変形自在な傾斜部１３と、傾斜部１３の先端に連設されて耳部７の凹み部１２内に嵌合される嵌合凸部１４と、耳部７の凹み部１２よりも上部の内側面７ａを垂下片１７側に押圧する耳部押圧部１５とを備えている。上記嵌合凸部１４には、凹み部１２内部の天面１８に当接する天面当接部１９が設けられている。
【００１３】
しかして、図２のように、耳部７を耳部係止部８の下方から押し上げると、耳部７がばね係止片９の傾斜部１３を立上り片１６側に撓ませながら上動し、耳部７が垂下片１７の水平支持部１７ａを通過し終わると、図３（ａ）のようにばね係止片９のばね力で耳部７が水平支持部１７ａの上に移動して垂下片１７に係止された状態で保持される。このとき、嵌合凸部１４が凹み部１２内に嵌合すると同時に、ばね係止片９の耳部押圧部１５が耳部７の凹み部１２よりも上部の内側面７ａに弾接することで、耳部７の下面７ｃが垂下片１７に向かって押圧され、るので、ばね係止片９が耳部７の内側に入り込む心配がなく、従って、垂下片１７に確実に支持されるものであり、また耳部７の内側面７ａがばね係止片９の耳部押圧部１５により垂下片１７側に押圧されているので、軒樋１に力が加わって変形したときでも、嵌合凸部１４が凹み部１２内に嵌合しているので、軒樋１が軒樋吊金具４から脱落するのを確実に防止できると同時に、軒樋１のがたつきの発生も同時に防止できるようになる。
【００１４】
また、図１の例では、軒樋１の前側の耳部７及び後側の耳部７´の各内側面７ａに凹み部１２をそれぞれ設けると共に、各耳部７，７´を各々係止する耳部係止部８，８´に垂下片１７とばね係止片９付き立上り片１６とをそれぞれ設けてある。これにより後側の耳部７と前側の耳部７´の両方をそれぞればね係止片９によって確実に係止させることができるので、軒樋１の脱落をより確実に防止できるものとなる。
【００１５】
また、本基本構成のばね係止片９は、耳部７に凹み部１２を設けたタイプのものに限らず、従来例（図６）のような耳部７の内側面７ａが平坦状のタイプのものであっても、ばね係止片９の嵌合凸部１４が耳部７の平坦状の内側面７ａに弾接できるので、凹み部１２を持たない耳部７の係止も本発明のばね係止片９によって可能となり、この結果、１つのばね係止片９で耳部７に凹み部１２を設けたものと設けないものとの両方に適用できるという利点もある。
【００１６】
図４（ａ）（ｂ）は、本発明の実施形態のばね係止片９を示している。図４（ａ）では、ばね係止片９の嵌合凸部９の底面当接部２１と傾斜部１３の境界１３ａが底面２０の先端部２０ａに弾接すると共に、傾斜部１３の上部垂直面１３ｂが垂直面２０ｂに弾接するようになっている。さらに図４（ｂ）では、嵌合凸部１４の底面当接部２１が底面２０に当接するようになっている。これにより、耳部７に対するばね係止片９の押圧力を更に高めることでき、結果的に耳部７の係止力が高められるものである。
【００１７】
図５は他の基本構成を示している。本例では垂下片１７とばね係止片９付き立上り片１６とが軒樋吊金具４の一方の耳部係止部（ここでは後側の耳部係止部８´）のみに設けられ、他方の耳部係止部（前側の耳部係止部８）は略Ｌ字状に屈曲形成され、この略Ｌ字状の耳部係止部８が前側の耳部７の凹み部１２内に挿入係止されている。つまり、一方の耳部７´のみが垂下片１７とばね係止片９付き立上り片１６とで確実に係止されており、他方の耳部７は挿入によって係止されているにすぎないが、このように構成した場合でも、一方の耳部７´を確実に係止させることで、軒樋１が軒樋吊金具４から脱落するのを防止できる効果が得られるものであり、また、軒樋吊金具４の他方の耳部係止部８は略Ｌ字状に屈曲させた簡単な形状で済むので、軒樋吊金具４の構造の簡略化を図ることができるものである。
【００１８】
【発明の効果】
上述のように請求項１記載の発明にあっては、軒樋の耳部を外側からつかんで吊り下げるための軒樋吊金具を備えた軒樋の吊り下げ構造において、軒樋の耳部の内側面の一部に軒樋の内方に向けて凹んだ凹み部が設けられ、軒樋吊金具の耳部係止部に、耳部の凹み部が設けられている内側面に対向して配置される立上り片と、凹み部が設けられている内側面とは反対側の外側面に沿って垂下して耳部を支持する垂下片とが設けられていると共に、立上り片の内側にばね係止片が取り付けられ、このばね係止片は、耳部の凹み部よりも下方位置から凹み部に向けて斜め上側方に延びる弾性変形自在な傾斜部と、傾斜部の先端に連設されて耳部の凹み部内に嵌合される嵌合凸部と、耳部の内側面を垂下片側に押圧する耳部押圧部とを備えており、上記ばね係止片の傾斜部の先端に連設された嵌合凸部が耳部の凹み部内に嵌合し且つばね係止片の耳部押圧部が耳部の内側面を垂下片側に押圧することにより耳部が垂下片に支持されてなるので、耳部の凹み部内にばね係止片の嵌合凸部が嵌合しているために耳部がばね係止片から外れる心配がなく、また耳部の内側面がばね係止片の耳部押圧部により垂下片側に押圧されているので、ばね係止片が耳部の内側に入り込む心配がなく、凹み部を備えた耳部を垂下片上に確実に支持できるようになり、さらに軒樋に力が加わって変形したときでも、嵌合凸部が凹み部内に嵌合しているので、軒樋が軒樋吊金具から脱落するのを確実に防止できる。さらに上記耳部の凹み部よりも下方位置に設けた垂直面に上記傾斜部に設けた上部垂直面を弾接させているので、耳部に対するばね係止片の押圧力を更に高めることでき、結果的に耳部の係止力が高められると共に、軒樋のがたつきの発生も同時に防止できるものである。
【００１９】
また請求項２記載の発明は、請求項１記載の効果に加えて、軒樋の前側の耳部又は後側の耳部のいずれか一方の耳部に凹み部を設けると共に、凹み部が設けられる側の耳部を係止する耳部係止部に垂下片とばね係止片付き立上り片とを設けたので、いずれか一方の耳部が垂下片とばね係止片付き立上り片とで確実に係止されることで、他方の耳部が仮りに耳部係止部に対して単に挿入係止されているにすぎない場合でも、一方の耳部を確実に係止させることができるので、軒樋が軒樋吊金具から脱落するのを防止できる効果が得られると共に、他方の耳部係止部の構造を簡略化することが可能となり、軒樋吊金具の構造の簡略化を図ることができる。
【００２０】
また請求項３記載の発明は、請求項１記載の効果に加えて、軒樋の前側の耳部及び後側の耳部の各内側面に凹み部をそれぞれ設けると共に、各耳部を係止する各耳部係止部に垂下片とばね係止片付き立上り片とをそれぞれ設けたので、軒樋の前後両側の耳部をそれぞれ、ばね係止片によって確実に係止させることができるので、軒樋の脱落をより確実に防止できる。
【００２１】
また請求項４記載の発明は、請求項１〜３のいずれかに記載の効果に加えて、ばね係止片の嵌合凸部に、凹み部内部の天面に当接する天面当接部と、凹み部内部の底面に当接する底面当接部とを設けたので、凹み部に対する嵌合凸部の嵌合力が高められ、ばね係止片による耳部の係止力を更に高めることができて、脱落防止により効果的となる。
【図面の簡単な説明】
【図１】  本発明の基本構成の説明図である。
【図２】  同上の軒樋の耳部を軒樋吊金具の耳部係止部に取り付ける前の状態の説明図である。
【図３】  （ａ）は耳部を耳部係止部にセットした状態の説明図、（ｂ）は軒樋が変形した場合の説明図である。
【図４】  （ａ）（ｂ）は本発明のばね係止片の実施形態の説明図である。
【図５】  他の基本構成の説明図である。
【図６】  従来例の説明図である。
【図７】  （ａ）（ｂ）は他の従来例の説明図である。
【符号の説明】
１  軒樋
４  軒樋吊金具
７  耳部
７ａ  耳部の内側面
７ｂ  耳部の外側面
８  耳部係止部
９  ばね係止片
１２  凹み部
１３  傾斜部
１３ｂ  上部垂直面
１４  嵌合凸部
１５  耳部押圧部
１６  立上り片
１７  垂下片
１８  天面
１９  天面当接部
２０  底面
２０ｂ  垂直面
２１  底面当接部
【図１】
0004269432.tif 000002
【図２】
0004269432.tif 000003
【図３】
0004269432.tif 000004
【図４】
0004269432.tif 000005
【図５】
0004269432.tif 000006
【図６】
0004269432.tif 000007
【図７】
0004269432.tif 000008